(57)【要約】【課題】本発明はアンテナ放射体、複数のアンテナパターンが埋め込まれる電子装置のケースの製造方法及び電子装置のケースに関する。【解決手段】本発明の一実施例によるアンテナ放射体は、外部信号を送信または受信するアンテナパターン部をそれぞれ備える複数のアンテナパターン放射体と、上記アンテナパターン部を連結するように提供されるブリッジと、上記ブリッジと上記アンテナパターン部の連結部に形成され、上記アンテナパターン部とブリッジ間の分離を容易にする切断補助部を含むことができる。【選択図】図２
2011254451.tif 000002
【特許請求の範囲】
【請求項１】
外部信号を送信または受信するアンテナパターン部をそれぞれが備える複数のアンテナパターン放射体と、
前記アンテナパターン部を連結するように提供されるブリッジと、
前記ブリッジと前記アンテナパターン部との連結部に形成され、前記アンテナパターン部と前記ブリッジとの分離を容易にする切断補助部と
を含むアンテナ放射体。
【請求項２】
前記切断補助部はノッチ、逃げ溝、Ｖカットまたはこれらの組み合わせから選択されたことを特徴とする請求項１に記載のアンテナ放射体。
【請求項３】
前記アンテナパターン放射体は前記アンテナパターン部の一側から延びる連結端子部を備え、
前記連結端子部と前記アンテナパターン部は異なる平面を成すように連結する連結パターン部により連結されることを特徴とする請求項１または２に記載のアンテナ放射体。
【請求項４】
前記アンテナパターン部はそれぞれ異なる帯域の周波数信号を送信または受信することを特徴とする請求項１から３の何れか１項に記載のアンテナ放射体。
【請求項５】
金属薄板をプレス加工し、ブリッジにより連結されるアンテナパターン部を備えるアンテナパターン放射体が複数形成されるようにする段階と、
前記アンテナパターン放射体が放射体フレームの一面上に露出するアンテナパターンフレームを形成する段階と、
前記ブリッジを除去し、前記アンテナパターン放射体を前記放射体フレーム上で離隔させる段階と、
前記アンテナパターン放射体上にケースフレームを形成させ、前記アンテナパターン放射体が前記放射体フレームと前記ケースフレームの間に埋め込まれるようにする段階と
を含む複数のアンテナパターン放射体が埋め込まれる電子装置のケースの製造方法。
【請求項６】
前記ブリッジと前記アンテナパターン部の連結部に、前記ブリッジと前記アンテナパターン部の分離を容易にするノッチ、逃げ溝、Ｖカットまたはこれらの組み合わせから選択される切断補助部が形成されることを特徴とする請求項５に記載の電子装置のケースの製造方法。
【請求項７】
前記アンテナパターン放射体は前記アンテナパターン部の一側から延びる連結端子部を備え、
前記連結端子部と前記アンテナパターン部は異なる平面を成すように連結する連結パターン部により連結されることを特徴とする請求項５または６に記載の電子装置のケースの製造方法。
【請求項８】
前記アンテナパターン部は、それぞれ異なる帯域の周波数信号を送信または受信することを特徴とする請求項５から７の何れか１項に記載の電子装置のケースの製造方法。
【請求項９】
前記アンテナパターン放射体が前記放射体フレームの一面上に露出するように前記放射体フレームに形成される締結溝に結合されることを特徴とする請求項５から８の何れか１項に記載の電子装置のケースの製造方法。
【請求項１０】
前記アンテナパターン放射体が前記放射体フレームの一面上に露出するように前記アンテナパターン放射体はモールド射出成形されることを特徴とする請求項５から９の何れか１項に記載の電子装置のケースの製造方法。
【請求項１１】
前記ケースフレームは、前記アンテナパターン放射体が一面に露出した前記放射体フレーム上にモールド射出成形されて形成されることを特徴とする請求項５に記載の電子装置のケースの製造方法。
【請求項１２】
請求項５項から請求項１１の何れか１項による電子装置のケースの製造方法により製造される電子装置。
【発明の詳細な説明】
【技術分野】
【０００１】
本発明はアンテナ放射体、複数のアンテナパターンが埋め込まれる電子装置のケースの製造方法及び電子装置のケースに関する。
【背景技術】
【０００２】
無線通信を支援する携帯電話、ＰＤＡ、ナビゲーション、ノート型コンピュータ等の移動通信端末機は現代社会になくてはならない重要な装置である。上記移動通信端末機はＣＤＭＡ、無線ラン、ＧＳＭ、ＤＭＢ等の機能が加わる傾向で発展しており、これらの機能を可能にする最も重要な部品の１つがアンテナである。
【０００３】
このような移動通信端末機に使用されるアンテナは、ロッドアンテナやヘリカルアンテナのような外装型から端末機内部に配置する内蔵型に発展する傾向にある。
【０００４】
外装型は外部の衝撃に脆弱であるという問題点があり、内蔵型は端末機そのものの体積が増加するという問題点があった。
【０００５】
このような問題点を解決するために、移動通信端末機と一体化させるための研究が活発に行われている。
【０００６】
アンテナを機構物に一体化させる方法として、端末機の胴体にフレキシブルアンテナを接着剤で取り付けるか、または端末機の外部面にアンテナフィルムが形成されるようアンテナフィルムをモールディングする方法まで提示されている。
【０００７】
しかし、フレキシブルアンテナを単に接着剤を用いて取り付ける場合は、接着力が弱くなると、アンテナの信頼性が落ちるという問題点が引き起こされる。また、外観が悪くて消費者によくない感性品質を提供するという問題点がある。
【０００８】
また、アンテナフィルムを用いる場合は、製品の安定性は確保されるが、アンテナフィルムが移動通信端末機のケースの外部面に形成され、フィルムそのものの弾性により、不良射出物から落ちるという問題点がある。
【０００９】
このような問題点を解決するために、放射体を電子装置のケースに埋め込ませるという方案が研究されている。
【発明の概要】
【発明が解決しようとする課題】
【００１０】
本発明の目的は、アンテナ放射体、複数のアンテナパターン放射体が埋め込まれる電子装置のケースの製造方法及び電子装置のケースを提供することである。
【課題を解決するための手段】
【００１１】
本発明の一実施例によるアンテナ放射体は、外部信号を送信または受信するアンテナパターン部をそれぞれ備える複数のアンテナパターン放射体と、上記アンテナパターン部を連結するように提供されるブリッジと、上記ブリッジと上記アンテナパターン部の連結部に形成され、上記アンテナパターン部とブリッジ間の分離を容易にする切断補助部とを含むことができる。
【００１２】
また、本発明の一実施例によるアンテナ放射体の上記切断補助部はノッチ、逃げ溝、Ｖカットまたはこれらの組み合わせから選択されることができる。
【００１３】
また、本発明の一実施例によるアンテナ放射体の上記アンテナパターン放射体は、上記アンテナパターン部の一側から延びる連結端子部を備え、上記連結端子部と上記アンテナパターン部は異なる平面を成すように連結する連結パターン部により連結されることができる。
【００１４】
また、本発明の一実施例によるアンテナ放射体の上記アンテナパターン部は、それぞれ異なる帯域の周波数信号を送信または受信することができる。
【００１５】
他の側面において、本発明の一実施例による複数のアンテナパターン放射体が埋め込まれる電子装置のケースの製造方法は、金属薄板をプレス加工し、ブリッジにより連結されるアンテナパターン部をそれぞれ備えるアンテナパターン放射体が複数になるようにする段階と、上記アンテナパターン放射体が放射体フレームの一面上に露出するアンテナパターンフレームを形成する段階と、上記ブリッジを除去し、上記アンテナパターン放射体を上記放射体フレーム上で離隔させる段階と、上記アンテナパターン放射体上にケースフレームを形成させて上記アンテナパターン放射体が上記放射体フレームと上記ケースフレームの間に埋め込まれるようにする段階とを含むことができる。
【００１６】
また、本発明の一実施例による複数のアンテナパターン放射体が埋め込まれる電子装置のケースの製造方法において、上記ブリッジとアンテナパターン部の連結部に、上記ブリッジと上記アンテナパターン部の分離を容易にするノッチ、逃げ溝、Ｖカットまたはこれらの組み合わせから選択される切断補助部が形成されることができる。
【００１７】
また、本発明の一実施例による複数のアンテナパターン放射体が埋め込まれる電子装置のケースの製造方法において、上記アンテナパターン放射体は上記アンテナパターン部の一側から延びる連結端子部を備え、上記連結端子部と上記アンテナパターン部は異なる平面を成すように連結する連結パターン部により連結されることができる。
【００１８】
また、本発明の一実施例による複数のアンテナパターン放射体が埋め込まれる電子装置のケースの製造方法において、上記アンテナパターン部はそれぞれ異なる帯域の周波数信号を送信または受信することができる。
【００１９】
また、本発明の一実施例による複数のアンテナパターン放射体が埋め込まれる電子装置のケースの製造方法において、上記アンテナパターン放射体が上記放射体フレームの一面上に露出するように上記放射体フレームに形成される締結溝に結合されることができる。
【００２０】
また、本発明の一実施例による複数のアンテナパターン放射体が埋め込まれる電子装置のケースの製造方法において、上記アンテナパターン放射体が上記放射体フレームの一面上に露出するように上記アンテナパターン放射体がモールド射出成形されることができる。
【００２１】
また、本発明の一実施例による複数のアンテナパターン放射体が埋め込まれる電子装置のケースの製造方法において、上記ケースフレームは上記アンテナパターン放射体が一面に露出した上記放射体フレーム上にモールド射出成形されて形成されることができる。
【００２２】
また他の側面において、本発明の一実施例による電子装置は、上記の電子装置のケースの製造方法により製造されることができる。
【発明の効果】
【００２３】
本発明の一実施例によるアンテナ放射体、複数のアンテナパターン放射体が埋め込まれる電子装置のケースの製造方法及び電子装置のケースによると、複数のアンテナパターン部が形成される放射体を電子装置のケースに埋め込ませることができ、従来の外装型アンテナが有する外部の衝撃に対する脆弱性及び内蔵型アンテナが有する体積の増加という問題点を解決することができる。
【００２４】
また、複数のアンテナパターン放射体が電子装置のケースに埋め込まれるため、電子装置のケース内のそれぞれのアンテナパターン放射体が異なる帯域の信号を送信または受信することができる。
【００２５】
また、それぞれのアンテナパターン放射体をブリッジで連結して射出するため、それぞれのアンテナパターン放射体が分離された状態でモールド射出成形する時より、射出工程が安定的で射出金型を単純化することができる。
【００２６】
また、アンテナパターンを具現するために金属薄板をプレスする場合、一つのプレス金型でも具現できるため、アンテナパターンが複数の場合、複数のプレス金型が必要であるが、そのプレス金型の数を減らすことができる。これにより、複数のアンテナパターン放射体が埋め込まれる電子装置のケースの製造方法を単純化し、製造費用を低減することができる。
【図面の簡単な説明】
【００２７】
【図１】本発明の一実施例による複数のアンテナパターン放射体が埋め込まれる電子装置である移動通信端末機のケースを部分切開して図示した概略斜視図である。
【図２】本発明の一実施例によるアンテナパターン放射体の展開図である。
【図３】図２のＡ部分の拡大図である。
【図４】本発明の一実施例によるアンテナパターンフレームの分解斜視図である。
【図５】本発明の一実施例によるアンテナパターンフレームの製造方法を図示した概路図である。
【図６】本発明の一実施例によるアンテナパターンフレームの製造方法を図示した概路図である。
【図７】図５及び図６のアンテナパターンフレームの製造方法により製造されたアンテナパターンフレームを図示した概略斜視図である。
【図８】図７のＢ部分でアンテナパターン部のブリッジが切断される様子を概略的に図示した部分拡大図である。
【発明を実施するための形態】
【００２８】
以下では図面を参照して本発明の具体的な実施例を詳細に説明する。但し、本発明の思想は提示される実施例に制限されず、本発明の思想を理解する当業者は同じ思想の範囲内で他の構成要素の追加、変更、削除などを通じて、退歩的な他の発明や本発明の思想の範囲内に含まれる他の実施例を容易に提案することができ、これも本願発明の思想の範囲内に含まれる。
【００２９】
また、各実施例の図面に示す同一または類似する思想の範囲内の機能が同一または類似の構成要素は同一または類似する参照符号を用いて説明する。
【００３０】
図１は本発明の一実施例による複数のアンテナパターン放射体が埋め込まれる電子装置である移動通信端末機のケースを部分切開して図示した概略斜視図であり、図２は本発明の一実施例によるアンテナパターン放射体の展開図であり、図３は図２のＡ部分の拡大図である。
【００３１】
図１から図３を参照すると、本発明の一実施例による複数のアンテナパターン放射体２２０、３２０が電子装置である移動通信端末機１０のケース１２０に適用されることが分かる。上記電子装置は移動通信端末機１０だけでなく、ノート型パンコンなどアンテナを利用する全ての電子装置を意味する。
【００３２】
上記移動通信端末機１０には、様々な帯域の外部信号を受信することができるアンテナ放射体２０が埋め込まれることができる。
【００３３】
上記アンテナ放射体２０は、２以上のアンテナパターン放射体２２０、３２０、ブリッジ３００及び切断補助部３５０を含むことができる。
【００３４】
上記アンテナパターン放射体２２０、３２０は、アンテナパターンフレーム２００を使用して電子装置のケース１２０の内部断面の中心部またはその近くに埋め込まれることができる。
【００３５】
上記アンテナパターン放射体２２０、３２０はアルミニウムや銅などの導電材からなり、外部信号を受信して移動通信端末機１０の信号処理装置に伝達させるアンテナパターン部２２２、３２２を備えることができる。また、上記アンテナパターン部２２２、３２２は異なるパターンであることができ、異なる帯域の外部信号を受信することができる。
【００３６】
上記アンテナパターン放射体２２０、３２０は上記アンテナパターン部２２２、３２２の一側から延びる連結端子部２２４、３２４を備えることができる。このとき、上記連結端子部２２４、３２４と上記アンテナパターン部２２２、３２２は異なる平面を成すように連結する連結パターン部２２６、３２６により連結されることができる。
【００３７】
上記連結端子部２２４は受信した外部信号を電子装置に伝送し、アンテナパターン放射体２２０の一部を折り曲げ、フォーミング（ｆｏｒｍｉｎｇ）、ドローイング（ｄｒａｗｉｎｇ）加工して形成することができる。また、上記連結端子部２２４はアンテナパターン放射体２２０と別途に製造された後、上記アンテナパターン放射体２２０に連結されることができる。
【００３８】
上記ブリッジ３００は、上記アンテナパターン放射体２２０、３２０のそれぞれのアンテナパターン部２２２、３２２を連結するように形成されることができる。
【００３９】
上記切断補助部３５０は上記ブリッジ３００と上記アンテナパターン部２２２、３２２の連結部に形成され、上記アンテナパターン部２２２、３２２とブリッジ３００間の分離を容易にする。
【００４０】
上記切断補助部３５０はアンテナパターン放射体２２０、３２０に形成されるノッチ３５２、逃げ溝３５４及びＶカット３５６（図８参照）からなることができる。また、切断補助部３５０はノッチ３５２、逃げ溝３５４及びＶカット３５６の一部または全部を組み合わせて形成されることができる。
【００４１】
上記アンテナ放射体２０は上記ブリッジ３００が放射体フレーム２１０上で切断された後、ケースフレーム１２０に一体化されることができる。
【００４２】
図４は本発明の一実施例によるアンテナパターンフレーム２００の分解斜視図である。
【００４３】
上記アンテナパターンフレーム２００はアンテナ放射体２０が結合された放射体フレーム２１０を含むことができる。
【００４４】
図４を参照すると、金属薄板がプレス加工されブリッジ３００により連結されるアンテナパターン部２２２、３２２をそれぞれ備えるアンテナ放射体２０を曲げたり、折り曲げて放射体フレーム２１０の一面に固定させる。
【００４５】
このとき、上記放射体フレーム２１０の一面２１０ａには締結溝２１４が形成され、上記アンテナパターン放射体２２０、３２０が上記放射体フレーム２１０の締結溝２１４に結合され上記放射体フレーム２１０の一面２１０ａ上に露出するようにする。
【００４６】
上記連結端子部２２４、３２４は上記放射体フレーム２１０の一面２１０ａの反対面２１０ｂに固定されることができる。
【００４７】
即ち、上記放射体フレーム２１０は射出構造物であって、上記アンテナパターン部２２２、３２２は放射体フレーム２１０の一面２１０ａに形成され、上記連結端子部２２４、３２４は上記一面２１０ａの反対面２１０ｂに形成されることができる。
【００４８】
一方、上記放射体フレーム２１０は平らな平面部２６０と曲率を有する曲面部２４０からなる立体構造であることができる。また、上記アンテナ放射体２０は上記放射体フレーム２１０の曲面部２４０に配置されるようにフレキシブル特性を有することができる。
【００４９】
上記電子装置のケース１２０の内部に埋め込まれるアンテナパターン放射体２２０の構造は、外部信号を受信するアンテナパターン部２２２、３２２と外部信号を電子装置の信号処理部（不図示）に伝送する連結端子部２２４、３２４が異なる平面上に形成されることができる。
【００５０】
また、上記放射体フレーム２１０を上記電子装置のケース１２０の内部にアンテナパターン部２２２、３２２が形成された一面２１０ａに接着させて上記電子装置のケース１２０の内部にアンテナパターンを埋め込むことができる。
【００５１】
但し、多重帯域信号を送信または受信するために、上記アンテナパターン部２２２、３２２が互いに干渉しないように上記放射体フレーム２１０上でブリッジ３００を除去することができる。
【００５２】
また、アンテナパターンフレーム２００を金型に入れてインサート射出することで、上記電子装置のケース１２０の内部にアンテナパターンを埋め込むことができる。
【００５３】
従って、アンテナパターンフレーム２００はアンテナパターン部２２２、３２２が形成されたアンテナパターン放射体２２０、３２０を電子装置のケース１２０の内部に埋め込むための１次射出物としての機能をする。
【００５４】
また、上記アンテナパターン放射体２２０は上記放射体フレーム２１０の上面と同じレベルで形成されることができる。このような構成は１次射出の後、アンテナパターンフレーム２００を金型に入れて２次インサート射出する時、レジンのような樹脂材の流れ性を増加させるという効果がある。
【００５５】
図５及び図６は本発明の一実施例によるアンテナパターンフレームの製造方法を図示した概路図であり、図７は図５及び図６のアンテナパターンフレームの製造方法により製造されたアンテナパターンフレームを図示した概略斜視図であり、図８は図７のＢ部分でアンテナパターン部のブリッジが切断される様子を概略的に図示した部分拡大図である。
【００５６】
図５から図８を参照すると、本発明の一実施例による電子装置の製造方法が分かる。
【００５７】
図４で説明したように、先ず金属薄板をプレス加工し、ブリッジ３００により連結されるアンテナパターン部２２２、３２２をそれぞれ備える複数のアンテナパターン放射体２２０、３２０を含むアンテナ放射体２０を形成する。
【００５８】
本実施例のアンテナ放射体２０も、上記アンテナパターン部２２２、３２２、連結端子部２２４、３２４及び上記アンテナパターン部２２２、３２２と連結端子部２２４、３２４が異なる平面を成すようにする連結パターン部２２６、３２６を含むことができる。
【００５９】
上記アンテナ放射体２０を上記アンテナパターンフレームの製造金型５００内に配置して射出し、アンテナパターンフレーム２００を製造する。
【００６０】
上記アンテナパターンフレームの製造金型５００は上部金型５２０及び下部金型５４０からなり、上記アンテナ放射体２０は上記上部金型５２０及び下部金型５４０の合型により形成される放射体フレーム２１０状の内部空間５５０内で、上記アンテナパターン部２２２が上記上部金型５２０に上記連結端子部が上記下部金型５４０に接触するように配置されることができる。
【００６１】
また、アンテナパターンフレームの製造金型５００に形成される樹脂材注入口５７０を通じて樹脂液を注入すると、図７のようなアンテナパターンフレーム２００が形成される。
【００６２】
上記アンテナパターンフレーム２００で上記ブリッジ３００を除去し、上記アンテナパターン放射体２２０、３２０を離隔させる。
【００６３】
また、上記アンテナパターン放射体２２０、３２０上にケースフレーム１２０を形成させ、上記アンテナパターン放射体２２０、３２０が上記放射体フレーム２１０と上記ケースフレーム１２０の間に埋め込まれるように製造することができる。
【００６４】
上記ケースフレーム１２０はアンテナパターン放射体２２０、３２０が露出する放射体フレーム２１０の一面２１０ａに接触して形成したり、上記放射体フレーム２１０を電子装置のケースの製造金型に配置した後、オーバーモールドし、二重射出により製造することができる。
【符号の説明】
【００６５】
１０  移動通信端末機
２０  アンテナ放射体
１２０  ケースフレーム
２００  アンテナパターンフレーム
２１０  放射体フレーム
２２０、３２０  アンテナパターン放射体
３００  ブリッジ
【図１】
2011254451.tif 000003
【図２】
2011254451.tif 000004
【図３】
2011254451.tif 000005
【図４】
2011254451.tif 000006
【図５】
2011254451.tif 000007
【図６】
2011254451.tif 000008
【図７】
2011254451.tif 000009
【図８】
2011254451.tif 000010